(57)【要約】【課題】点火信号に応じてガス発生器を点火するための点火器を備えたエアーバッグモジュールのガス発生器用の点火装置を供給する。【解決手段】点火信号に応じてガス発生器（１）を点火するための点火器（３）を備えたエアーバッグモジュールのガス発生器（１）用の点火装置であって、熱供給の間、点火信号とは独立に、ガス発生器（１）を点火するための早期点火セット（４）を備え；早期点火セット（４）を受容する収容部（２５）、及び、ボリューム調整手段（５）を備え、それらは収容部（２５）の中に早期点火セット（４）と共に配置される。それに関して、ボリューム調整手段（５）は電導性材料からなるファブリックを含む。【選択図】図１
2013212831.tif 000002
【特許請求の範囲】
【請求項１】
エアーバッグモジュールのガス発生器用の点火装置であって、
−点火信号に応じて前記ガス発生器を点火する点火器と、
−熱供給の間に、前記点火信号とは独立に前記ガス発生器を点火する早期点火セットと、
−前記早期点火セットを受容する収容部と、
−前記収容内に前記早期点火セットと共に配置されるボリューム調整手段と、を含み、
前記ボリューム調整手段は電導性材料からなるファブリックを含む、
点火装置。
【請求項２】
前記ボリューム調整手段は柔軟に構成される、請求項１記載の点火装置。
【請求項３】
前記ボリューム調整手段は弾性的に構成される、請求項１又は２に記載の点火装置。
【請求項４】
前記ボリューム調整手段は金属製ファブリックを含む、請求項１乃至３の何れか１つに記載の点火装置。
【請求項５】
前記ボリューム調整手段は電導性プラスチック製ファブリックを含む、請求項１乃至３の何れか１つに記載の点火装置。
【請求項６】
前記ボリューム調整手段は、前記早期点火セットとは異なる前記点火装置の少なくとも１つの部品に支持される、請求項１乃至５の何れか１つに記載の点火装置。
【請求項７】
前記ボリューム調整手段は点火器に支持される、請求項６記載の点火装置。
【請求項８】
前記ボリューム調整手段は収容部の閉じ込めに支持される、請求項６又は７に記載の点火装置。
【請求項９】
前記ボリューム調整手段は前記点火器を少なくとも部分的に取り囲む、請求項１乃至８の何れか１つに記載の点火装置。
【請求項１０】
前記早期点火セットは前記ボリューム調整手段に少なくとも部分的にもたれかかる、請求項１乃至９の何れか１つに記載の点火装置。
【請求項１１】
前記点火器の少なくとも一部は前記収容部の内部に配置される、請求項１乃至１０の何れか１つに記載の点火装置。
【請求項１２】
請求項１乃至１１の何れか１つに記載の点火装置を備えた、自動車のエアーバッグモジュール用のガス発生器。
【請求項１３】
前記ガス発生器は前記点火装置を受容する発生器ハウジングを含む、請求項１２記載のガス発生器。
【請求項１４】
前記収容部は前記ガス発生器の中に供給される、請求項１２記載のガス発生器。
【発明の詳細な説明】
【技術分野】
【０００１】
本発明は、請求項１の前提部分に従った、エアーバッグモジュールのガス発生器用の点火装置に関する。
【背景技術】
【０００２】
そうした点火装置は、点火信号に応じてガス発生器を点火する点火装置を含み、点火信号から独立に、熱供給の間、発生器を点火する早期点火セットを含み、さらに、早期点火セットを受容する収納部と、ボリューム調整手段とを含み、それらは点火装置の収容部内に、早期点火セットと共に配置される。
【０００３】
エアーバッグモジュールの場合は、自動車の乗員を保護するガス発生器に取り付けられたエアーバッグを膨張させるため、ガス発生器の点火は点火信号に応じて生じる。このため、例えばその点火信号は電流パルスによって形成されてもよく、その電流パルスは点火装置（電気ポートを介して）に供給され、抵抗線を通じて点火装置に流れ込み、それによって抵抗線は融解し、以下のように、点火装置の点火化合物を点火する。それにより、ガス発生器内に供給される推進体（プロペラント）が活性化され（点火式ガス発生器の場合）、エアーバッグを膨張させるのに必要なガスを放出する。
【０００４】
事故の間にトリガされる点火信号に応じてガス発生器の活性化を生じる点火器に加えて、本点火装置は、熱供給の間、ガス発生器を点火する早期点火セットを含み、即ち、それは点火信号の発生とは独立である。このようにして、以下のことが回避される。即ち、非常に高温で、例えば、自動車の火災の間に発生するような高温で、点火器の点火化合物が或る温度で点火されて、その温度では発生器ハウジングの遮断抵抗はもう保証されず、発生器ハウジングの爆発につながることがあり、そうして、ハウジング部分は銃弾のように振舞うようになることである。このため、早期点火セットは、ガス発生器の異常な発熱の間に点火するように供給され、例えば、それは火災の後であって、その温度は発生器ハウジングが遮断抵抗を緩める温度よりも実質的に低い。このための典型的な値は約１７０℃の点火温度である。
【０００５】
早期点火セットによるガス発生器の（熱を引き起こす）点火の間、発生器の動作が、ガスが所定のエアーバッグを膨張させるのに発生されるように、例えば、ガス発生器のプロペラントにより、点火器によるガス発生器の点火の間（点火パルスにより生じる）と同様に、発生器の活性化が生じる。ガス発生器の更なる加熱の間（例えば火災発生）、ガス発生器の活性化がそうした高温で発生するリスクはこれ以上存在せず、そうした高温ではプロペラントの活性化が発生器ハウジングの破壊をもたらすことがある。
【０００６】
早期点火セットを点火装置の収容部の中に配置することが知られており、即ち、ボリューム調整手段と共に配置され、そのボリューム調整手段は、早期点火セットのボリューム要件に応じて収容部の領域を満たし、早期点火セットのボリューム要件を越える。そうして、早期点火セットがタブレット或いは粒状の形態で供給される場合、例えばノイズの形成が回避される。
【発明の概要】
【発明が解決しようとする課題】
【０００７】
本発明の目的は前記の種類の点火デバイスを改良することであり、詳しくは、早期点火セットへの熱伝達に関する。
【課題を解決するための手段】
【０００８】
この課題は、請求項１の構成を備えた点火装置を供給することにより、本発明に従って解決される。
【０００９】
従って、収容部に早期点火セットと共に配置されるボリューム調整手段は、電導性材料からなるファブリッグ（布地）を含む。
【００１０】
そうしたファブリックは、ガス発生器或いは点火装置の部品群の間の広範囲に及ぶ熱伝達を許容し、例えば、収容部を閉じ込める壁、及び、その収容部内に配置された早期点火セットとして、それによって、ガス発生器の加熱（及び点火装置）が、ガス発生器の対応する加熱が発生する場合、早期点火セットの対応する加熱を伴い、その点火セットは実際に点火する。そのファブリックの材料の電導性は、従って、良好な伝導特性に相当する。
【００１１】
さらに、ファブリックは、その弾力性及び／又は柔軟性のため、点火器の収納領域に特に満たすように供給され、早期点火セットによって占められない。
【００１２】
ガス発生器の加熱の間に、早期点火セットへの効率的な熱伝達を達成するため、ボリューム調整手段（ファブリック）は、ガス発生器又は点火装置の少なくとも１つの部分によって支持され、例えば、点下器、及び／又は、収容部を閉じ込める壁によって支持される。例えば、ボリューム調整手段が供給され、その調整手段は少なくとも部分的に点火器を取り囲み；さらに、任意的に、収容部の壁によって支持されてもよい。
【００１３】
ボリューム調整手段によって満たされず、空いたままである収容部の領域では、早期点火セットが供給され、その早期点火セットは例えばタブレット形態又は粒状形態で供給される。
【００１４】
ボリューム調整手段としてファブリックを使用することには、例えば磨耗等による早期点火セットの損傷をもたらさないという利点がある。
【図面の簡単な説明】
【００１５】
【図１】図１は本発明の実施形態に従ったガス発生器の断面図を示す。
【発明を実施するための形態】
【００１６】
本発明に係る更なる詳細と利点は、図１による具体例の以下の説明で明らかになり、その図１にはガス発生器の断面図が示される。
【００１７】
図１の断面図に示されるガス発生器１は発生器ハウジング１０を含み、そのハウジングは例えばアルミニウムのような金属材料からなる。
【００１８】
発生器ハウジング１０はこの例では２つの部分で供給され、それは第１ハウジング部分１１と第２ハウジング部分１２である。ここでハウジング部分１１，１２は、それぞれ発生器の軸Ｇに関して回転対称に供給される。
【００１９】
第１ハウジング部分１１は、ハウジングフロアー１１ａとそのハウジングフロアーから（実質的に垂直方向に）突出する外部ハウジング壁１１ｂとを備えるハウジングポットを形成し、ハウジングフロアー１１ａの外部エッジに沿って周回する。第２ハウジング部分１２は第１ハウジング部分１１を閉じるハウジング蓋を形成する。２つのハウジング部分１１，１２は、本例でははんだ接合１４によって相互に結合される（堅く、且つ、防湿に）。
【００２０】
発生器ハウジング１０の中には、ハウジングチャンバ１５が形成され（本例では環状に循環する）、そのハウジングチャンバはガス発生器のプロペラント１６の収容に使用される。ガス発生器１を点火器２によって意図するように活性化するとき、その点火器は更に詳細に説明されるだろうが、又は、代替的に、早期点火セット４によって活性化するとき、このプロペラント１６が活性化されてそれによってガスが発生し、ガス発生器に割り当てられたエアーバッグモジュールの膨張に用いられる。
【００２１】
（環状）発生器チャンバ１５はその中にプロペラント１６が収容されており、そうして、環状循環壁２１ｂ（内部環状壁）が第１ハウジング部分１１のフロアー１１ａから突き出るように形成され、第１ハウジング部分１１の（環状循環の）外部壁１１ｂに同心状に配置され、第２ハウジング部分１２へ伸び、適切なシーリング手段１８を用いて第２ハウジング部分に接続されシールされる。
【００２２】
ガス発生器１は更に点火装置２を含み、ガス発生器１、又は、対応するプロペラント１６を活性化、又は、トリガーするのに用いられる。
【００２３】
このため、点火装置２は点火ハウジング３０を備えた点火器３を含み、その点火器は、第１ハウジング領域３２の中に公知の方法で点火化合物を含み、第２ハウジングセクション３４の中に点火化合物をトリガーする手段を含む。その点火化合物をトリガーするために、例えば抵抗線が供給されてもよく、その抵抗線に対して、衝突の場合には点火信号が電気インパルス（電流インパルス）の形態で供給され、それによって、その抵抗線は溶解し第１ハウジング領域３４で点火化合物を活性化させ、公知の方法で、プロペラント１６の点火をもたらし、そうして、割り当てられたエアーバッグを膨張するのに必要なガスを発生する。
【００２４】
点火器３は電気インパルスの形態の点火信号を供給する電気ポート３６を含み、その電気ポートは割り当てられたコントロールユニット又は電流供給ユニットに接続される。
【００２５】
点火器３への電気インパルスのリリース（電気ポート３６を介して）は、いわゆるクラッシュ・センサー及び／又はプレクラッシュ・センサーの出力信号に応じて発生し、自動車内で事故、或いは、来るべき事故を迅速に検出し、その出力信号は点火器３への電気的インパルスの供給を初期化する（コントロールデバイス又は電流供給デバイスから来る）。
【００２６】
点火器３はその点火チャンバの中に配置され、その一方側は第１ハウジング部分１１のフロアー１１ａによって制限され、他方側はそこから突き出る内部環状壁２１ｂによって制限され、（フロアー１１ａに対向する側で）（防湿の）密閉２２によって閉じられる。
【００２７】
点火チャンバは、同時に、早期点火セット４の収容部２５として用いられ、この例では早期点火セットは点火タブレットによって形成され、それは粒状の又は他の方法で供給されてもよい。それにより、この例では収容部２５は、閉じ込め（コンファインメント）１１ａ、２１ｂ、及び２２の内部で、金属（例えばアルミニウム）の（任意の）容器２４によって追加的に囲まれ、ここでは密閉２２に固定される。容器２４は、例えば、環状壁２１ｂにアパーチャが供給される場合に、早期点火セット４とプロペラント１６との分離を供給することができる。
【００２８】
早期点火セット４はその収容部２５の全体空間をカバーせず、（点火器３のボリューム要件の撤回後に）このために供給される。従って、ボリューム調整手段５は早期点火セット４（及び、点火器３）に加えて収容部２５の中に供給され、導電性ファブリックからなり、例えば、金属製ファブリック又は導電性プラスチック製ファブリックである。こうしたボリューム調整手段５は、その弾力性と柔軟性のため、収容部２５の領域を特に覆うのによく適しており、その領域は点火器３又は早期点火セット４によっては占められない。ボリューム調整手段５の形状及びボリュームは、その弾力性／柔軟性のため、このための空間に特に適合することができ、従って、収容部２５内部での早期点火セット４の部分のフラッピングによるノイズ形成を回避することができる。
【００２９】
さらに、ボリューム調整手段５はその電導性により非常に良好な熱伝導特性も有し、ガス発生器１の（例えば火災による）加熱の間に、早期点火セット４への対応する熱入力が、ボリューム調整手段５を介して発生することが可能である。
【００３０】
本実施形態では、ボリューム調整手段５は点火器３によって支持されており、特には、そのハウジング３０によって支持される。これにより、例えば、そのボリューム調整手段が点火器３又はそのハウジング３０を部分的に取り囲むように供給される。さらに、ボリューム調整手段５は壁１１ａ、２１ｂ、及び／又は、収容部２５の密閉２２、及び／又は、容器３４によって支持されることが可能である。これにより、ガス発生器１、特にはそのハウジング１０の加熱中に、ガス発生器１、より詳しくは点火装置２の部品３、１１ａ、２１ｂ、２２、２４を介して、対応する熱入力が発生し、そして、ボリューム調整手段を介して、早期点火セット４の中への熱入力が発生することが達成される。
【００３１】
このようにして、ガス発生器１とそのハウジング１０の温度が、早期点火セット４が意図する所定の値に達した場合、早期点火セット４は確実にトリガーされる（点火される）ことが保障されるべきである。このため、ガス発生器１で生成される熱、例えば火災による熱は確実に早期点火セット４に伝達されることが保障されるべきである。（同様に、化合物又は化合物混合物がそうした早期点火セットに用いられ、その早期点火セットは所望の温度、例えば１７０℃でトリガーされ、その温度は、ガス発生器１のハウジング１０が遮断抵抗を緩める温度よりも低く、その温度は、例えば、アルミニウム製のガス発生器ハウジングの場合は約４００℃である。）
ガス発生器１、又は、そのハウジング１０、又は、点火装置２からの熱入力によって早期点火セット４が点火される間、その熱入力は、本実施形態では少なくとも部分的にボリューム調整手段５により早期点火セット４の中に供給され、点火器３の中に供給される点火化合物のトリガーが定期的に発生し、いずれの場合でもガス発生器１のプロペラント１６の点火が発生する。点火に影響する早期点火セット４への熱入力は、さらに、ガス発生器１又は点火装置２の部品への直接コンタクトによって発生し、例えば、収容部２５、及び／又は、容器２４の壁１１ａ、２１ｂへの直接コンタクトによって発生する。
【図１】
2013212831.tif 000003